(57)【要約】【課題】表示画像の画像信号から黒表示部を検出し、照明光量に応じて検出した黒表示部を補正することにより、黒表示部の明るさの変化を抑え、画像のちらつきも抑えることができる画像検出装置、画像検出方法および画像検出プログラムを提供することを目的とする。【解決手段】黒表示検出部２０では、水平・垂直同期信号に基づいて、表示画像の画像信号の１ライン分の座標値を検知し、画像データを加算してラインごとに黒表示部であるか否かの判定を行う。黒表示部であると判定した場合、黒表示部検出信号を発生する。画像処理部２１は、黒補正または伸長処理した画像信号のどちらが適した信号であるかを、黒表示部検出信号に基づいて判断する。【選択図】  図２
2004163809.tif 000002
【特許請求の範囲】
【請求項１】
表示画像の黒表示部を検出する画像検出装置であって、
画像信号から表示領域を検出する表示領域検出手段と、
前記検出された表示領域のうち、黒表示部を検出する黒表示部検出手段と、
前記検出された黒表示部が画面上下、または、画面左右のどちらの位置にあるかを検出する画面位置検出手段と
を備えたことを特徴とする画像検出装置。
【請求項２】
表示画像の黒表示部を検出する画像検出装置であって、
表示画像の画像信号の垂直・水平同期信号に基づいて、単位期間中の画像信号を検知する座標検知手段と、
前記座標検知手段によって検知された座標を含む１ライン上の画素データを加算する画素データ加算手段と、
前記画素データ加算手段で加算された１ライン上の画素データの黒表示部基準に対する大小関係を判定する判定手段と、
前記判定手段による前記画像データの前記黒表示部基準に対する判定結果に応じて、当該画像データの座標が黒表示部に属すると判断する黒表示部検出手段とを備えたことを特徴とする画像検出装置。
【請求項３】
前記判定手段は、１フレーム分の画像データを溜めてから判定を行うことを特徴とする請求項１記載の画像検出装置。
【請求項４】
表示画像の黒表示部を検出する画像検出装置であって、
表示画像の画像信号の垂直・水平同期信号に基づいて、画像信号の座標を検知する座標検知手段と、
前記座標値検知手段によって検知された座標の画像データを加算する画像データ加算手段と、
前記画像データ加算手段で加算された画素データの黒表示部基準に対する大小関係を判定する判定手段と、
前記判定手段による前記画像データの黒表示部基準に対する判定結果に応じて、当該画像データが所定のアスペクト比であるかどうかを判断するアスペクト比判断手段と、
前記アスペクト比判断手段によって黒表示範囲内であると判断された場合、当該座標の画像信号が黒表示部であると検出する黒表示部検出手段と
を備えたことを特徴とする画像検出装置。
【請求項５】
前記黒表示部検出手段による検出に基づいて、画像信号の黒表示補正を行う補正手段をさらに備えたことを特徴とする請求項１から３のうちいずれか１に記載の画像検出装置。
【請求項６】
表示画像の黒表示部を検出する画像検出方法であって、
画像信号から表示領域を検出する第１のステップと、
前記第１のステップで検出された表示領域のうち、黒表示部を検出する第２のステップと、
前記第２のステップで検出された黒表示部が画面上下、または、画面左右のどちらの位置にあるかを検出する第３のステップと
を有することを特徴とする画像検出方法。
【請求項７】
表示画像の黒表示部を検出する画像検出方法であって、
表示画像の画像信号の垂直・水平同期信号に基づいて、単位期間中の画像信号の座標を検知する第１のステップと、
前記第１のステップで検知された座標を含む１ライン上の画素データを加算する第２のステップと、
前記第２のステップで加算された１ライン上の画素データの黒表示部基準に対する大小関係を判定する第３のステップと、
前記第３のステップによる前記画像データの前記黒表示部基準に対する判定結果に応じて、当該画像データの座標が黒表示部に属すると判断する第４のステップと
を有することを特徴とする画像検出方法。
【請求項８】
表示画像の黒表示部を検出する画像検出方法であって、
表示画像の画像信号の垂直・水平同期信号に基づいて、画像信号の座標を検知する第１のステップと、
前記第１のステップで検知された座標の画像データを加算する第２のステップと、
前記第２のステップで加算された画素データの黒表示部基準に対する大小関係を判定する第３のステップと、
前記第３のステップによる前記画像データの黒表示部基準に対する判定結果に応じて、当該画像データが所定のアスペクト比の範囲内であるかどうかを判断する第４のステップと、
前記第４のステップで黒表示範囲内であると判断された場合、当該座標値の画像信号が黒表示部であると検出する第５のステップと
を有することを特徴とする画像検出方法。
【請求項９】
表示画像の黒表示部を検出する画像検出プログラムであって、
画像信号から表示領域を検出する表示領域検出機能、
前記検出された表示領域のうち、黒表示部を検出する黒表示部検出機能、
前記検出された黒表示部が画面上下、または、画面左右のどちらの位置にあるかを検出する画面位置検出機能
としてコンピュータを機能させることを特徴とする画像検出プログラム。
【請求項１０】
表示画像の黒表示部を検出する画像検出プログラムであって、
表示画像の画像信号の垂直・水平同期信号に基づいて、単位期間中の画像信号の座標を検知する座標値検知機能、
前記座標値検知機能によって検知された座標を含む１ライン上の画素データを加算する画素データ加算機能、
前記画素データ加算機能によって加算された１ライン上の画素データの黒表示部基準に対する大小関係を判定する判定機能、
前記判定機能による前記画像データの前記黒表示部基準に対する判定結果に応じて、当該画像データの座標が黒表示部に属すると判断する黒表示部検出機能
としてコンピュータを機能させることを特徴とする画像検出プログラム。
【請求項１１】
表示画像の黒表示部を検出する画像検出プログラムであって、
表示画像の画像信号の垂直・水平同期信号に基づいて、画像信号の座標を検知する座標検知機能、
前記座標検知機能によって検知された座標の画像データを加算する画像データ加算機能、
前記画像データ加算機能によって加算された画素データの黒表示部基準に対する大小関係を判定する判定機能、
前記判定機能による前記画像データの黒表示部基準に対する判定結果に応じて、当該画像データが所定のアスペクト比であるかどうかを判断するアスペクト判断機能、
前記アスペクト判断機能によって黒表示範囲内であると判断された場合、当該座標の画像信号が黒表示部であると検出する黒表示部検出機能
としてコンピュータを機能させることを特徴とする画像検出プログラム。
【請求項１２】
請求項１から請求項５の画像検出装置を備えたことを特徴とする画像表示装置。
【発明の詳細な説明】
【０００１】
【発明の属する技術分野】
本発明は、画像検出装置、画像検出方法、画像検出プログラムおよび画像表示装置に関する。
【０００２】
【従来の技術】
近年、ＩＴ技術の進歩に伴い、様々な分野で画像表示装置のニーズが高まってきている。このような画像表示装置のうち、液晶分子の配列を電気的に制御して、光学的特性を変化させることができる液晶表示装置は、低消費電力、薄型、目にやさしいなどの点から特に期待されている。また近年では、液晶表示装置の一形態として、液晶ライトバルブを用いた光学系から射出される映像を投射レンズを通してスクリーンに拡大投射する投射型液晶表示装置（液晶プロジェクタ）も広く利用されるようになっている。
【０００３】
この投射型液晶表示装置は、光変調手段として液晶ライトバルブを用いているが、光学系を構成する様々な光学要素で生じる光漏れや迷光のため、表示できる明るさの範囲（ダイナミックレンジ）が狭い、映像品質の向上を図りづらいというようなことがある。そこで、ダイナミックレンジを拡大する方法として、映像信号に応じてライトバルブ（光変調手段）に入射させる光量を変化させる一方ライトバルブに表示する画像を伸長する方法が従来から提案されている。
例えば、入力映像信号に対して、コントラストの調整（信号振幅制御）と、光源（バックライト）の輝度調整との相関性を持たせて調整する技術がある（例えば、特許文献１参照）。
【０００４】
【特許文献１】
特開２００１−２７８９０号公報
【０００５】
また、最近では人間の視野が横方向に長いこと、横長い映画のスクリーン表示に適しているということで、画面の縦横の比率は、ワイド型へと移行してきている。アスペクト比（画面の縦横の比率）が４：３の信号にワイド画面の映像を記録する場合、画面上下に黒帯部分（黒表示部）を作り、その中央部に映像画面を配置する方式が用いられる。このとき、調光を行った場合、黒表示部の明るさは、中央部に表示される映像が明るい場合には、黒表示部も明るくなる。このように黒表示部は、画面の中央部に表示される映像信号に応じて変化してしまう。そこで、随時変化する映像信号に応じて、コントラストや光源の調整を行う様々な方法が提案されている。
【０００６】
【発明が解決しようとする課題】
しかしながら、上記従来の技術は、あらかじめ入力映像信号が２つある場合に、一方の入力映像信号には信号処理を行い、他方の入力映像信号には信号処理を行わないことにより、視覚的なコントラスト感を改善するものであり、１つの入力映像信号を２つに分けるものではない。
例えば、映像信号の中に黒表示部が一連として入っているような場合、映像信号をそのまま調整するので、黒表示部も調整されてしまうことになり、画面の中央部に表示される映像信号に応じて変化してしまう。
【０００７】
また、アスペクト比の異なる映像信号が入力された場合、映像信号がない領域は黒表示が行われる（レターボックス）。適応型調光表示システムにおいて調光を行うと、この黒表示部の明るさが変化してしまい、チラツキが感じられる。このチラツキ防止として、一画面内に複数の表示領域を持つ場合、主たる表示領域に表示している表示画像信号に合わせて調光を行い、その他の領域は調光を打ち消すような画像処理を行うことがある。
しかしながら、実際の映像信号は黒表示部分を含んでいるものが多く、チラツキを抑えるためには黒表示部分を検出する必要がある。
【０００８】
本発明は、上記事情に鑑みてなされたもので、表示画像の画像信号から黒表示部を検出し、照明光量に応じて検出した黒表示部を補正することにより、黒表示部の明るさの変化を抑え、画像のちらつきも抑えることができる画像検出装置、画像検出方法、画像検出プログラムおよび画像表示装置を提供することを目的とする。
【０００９】
【課題を解決するための手段】
本発明の画像検出装置は、表示画像の黒表示部を検出する画像検出装置であって、画像信号から表示領域を検出する表示領域検出手段と、前記検出された表示領域のうち、黒表示部分を検出する黒表示部検出手段と、前記検出された黒表示部分が画面上下、または、画面左右のどちらの位置にあるかを検出する画面位置検出手段とを備えたことを特徴とする。
このように、表示画像の画像信号のうち、黒表示部を的確に検出することができるので、黒表示部以外の画像信号に対する照明光量に応じた黒表示部の補正を行うことができる。これにより、黒表示部の明るさ変化を抑え、黒表示部のチラツキを防止することができる。
【００１０】
本発明の画像検出装置は、表示画像の黒表示部を検出する画像検出装置であって、表示画像の画像信号の垂直・水平同期信号に基づいて、単位期間中の画像信号の座標を検知する座標検知手段と、前記座標値検知手段によって検知された座標を含む１ライン上の画素データを加算する画素データ加算手段と、前記画素データ加算手段で加算された１ライン上の画素データの黒表示部基準に対する大小関係を判定する判定手段と、前記判定手段による前記画像データの前記黒表示部基準に対する判定結果に応じて、当該画像データの座標が黒表示部に属すると判断する黒表示部検出手段とを備えたことを特徴とする。
【００１１】
このように、表示画像の画像信号のうち、黒表示部を的確に検出することができるので、黒表示部以外の画像信号に対する照明光量に応じた黒表示部の補正を行うことができる。これにより、黒表示部の明るさ変化を抑え、黒表示部のチラツキを防止することができる。また、アスペクト比の異なる画像信号が入力された場合にも、画像信号のアスペクト比に対して柔軟な対応が可能となり、黒表示部の検出を正確に行うことができる。
また、本発明の画像検出装置は、前記判定手段は、１フレーム分の画像データを溜めてから判定を行うことを特徴とする。
このように、縦１ラインに関して黒表示判定するので、画面上下だけでなく、画面左右の黒帯部分も検出することができる。
【００１２】
また、本発明の画像検出装置は、表示画像の黒表示部を検出する画像検出装置であって、表示画像の画像信号の垂直・水平同期信号に基づいて、画像信号の座標を検知する座標検知手段と、前記座標検知手段によって検知された座標の画像データを加算する画像データ加算手段と、前記画像データ加算手段で加算された画素データの黒表示部基準に対する大小関係を判定する判定手段と、前記判定手段による前記画像データの黒表示部基準に対する判定結果に応じて、当該画像データが所定のアスペクト比であるかどうかを判断するアスペクト比判断手段と、前記アスペクト比判断手段によって黒表示範囲内であると判断された場合、当該座標の画像信号が黒表示部であると検出する黒表示部検出手段とを備えたことを特徴とする。
このように、本発明の画像検出装置は、格納しているアスペクト比と比較するので、例えば、映画のタイトルロールのように、画面全体が暗い中にタイトルなどの文字が表示される場合における黒表示部の誤判定を防止することができる。
【００１３】
また、本発明の画像検出装置は、前記黒表示部検出手段による検出に基づいて、画像信号の黒表示補正を行う補正手段をさらに備えたことを特徴とする。
このように、黒表示部検出に基づいて補正を行うので、例えば、照明光量が最大の場合には、黒表示部を暗い表示に補正をし、また、照明光量が小さい場合には、黒表示部を明るい表示に補正するというようにすることができる。これにより、照明光量の変化と、黒表示部の変化が打ち消し合うことになり、チラツキを防止した映像表示を行うことができる。
【００１４】
本発明の画像検出方法は、表示画像の黒表示部を検出する画像検出方法であって、画像信号から表示領域を検出する第１のステップと、前記第１のステップで検出された表示領域のうち、黒表示部を検出する第２のステップと、前記第２のステップで検出された黒表示部が画面上下、または、画面左右のどちらの位置にあるかを検出する第３のステップとを有することを特徴とする。
また、本発明の画像検出方法は、表示画像の黒表示部を検出する画像検出方法であって、表示画像の画像信号の垂直・水平同期信号に基づいて、単位期間中の画像信号の座標を検知する第１のステップと、前記第１のステップで検知された座標を含む１ライン上の画素データを加算する第２のステップと、前記第２のステップで加算された１ライン上の画素データの黒表示部基準に対する大小関係を判定する第３のステップと、前記第３のステップによる前記画像データの前記黒表示部基準に対する判定結果に応じて、当該画像データの座標が黒表示部に属すると判断する第４のステップとを有することを特徴とする。
【００１５】
また、本発明の画像検出方法は、表示画像の黒表示部を検出する画像検出方法であって、表示画像の画像信号の垂直・水平同期信号に基づいて、画像信号の座標を検知する第１のステップと、前記第１のステップで検知された座標の画像データを加算する第２のステップと、前記第２のステップで加算された画素データの黒表示部基準に対する大小関係を判定する第３のステップと、前記第３のステップによる前記画像データの黒表示部基準に対する判定結果に応じて、当該画像データの座標が所定のアスペクト比であるかどうかを判断する第４のステップと、前記第４のステップで黒表示範囲内であると判断された場合、当該座標値の画像信号が黒表示部であると検出する第５のステップとを有することを特徴とする。
【００１６】
本発明の画像検出プログラムは、表示画像の黒表示部を検出する画像検出プログラムであって、画像信号から表示領域を検出する表示領域検出機能、前記検出された表示領域のうち、黒表示部を検出する黒表示部検出機能、前記検出された黒表示部が画面上下、または、画面左右のどちらの位置にあるかを検出する画面位置検出機能としてコンピュータを機能させることを特徴とする。
また、本発明の画像検出プログラムは、表示画像の黒表示部を検出する画像検出プログラムであって、表示画像の画像信号の垂直・水平同期信号に基づいて、単位期間中の画像信号の座標を検知する座標検知機能、前記座標検知機能によって検知された座標を含む１ライン上の画素データを加算する画素データ加算機能、前記画素データ加算機能によって加算された１ライン上の画素データの黒表示部基準に対する大小関係を判定する判定機能、前記判定機能による前記画像データの前記黒表示部基準に対する判定結果に応じて、当該画像データの座標が黒表示部に属すると判断する黒表示部検出機能としてコンピュータを機能させることを特徴とする。
【００１７】
本発明の画像検出プログラムは、表示画像の黒表示部を検出する画像検出プログラムであって、表示画像の画像信号の垂直・水平同期信号に基づいて、画像信号の座標を検知する座標検知機能、前記座標検知機能によって検知された座標の画像データを加算する画像データ加算機能、前記画像データ加算機能によって加算された画素データの黒表示部基準に対する大小関係を判定する判定機能、前記判定機能による前記画像データの黒表示部基準に対する判定結果に応じて、当該画像データの座標が所定のアスペクト比であるかどうかを判断するアスペクト比判断機能、前記アスペクト比判断機能によって黒表示範囲内であると判断された場合、当該座標の画像信号が黒表示部であると検出する黒表示部検出機能としてコンピュータを機能させることを特徴とする。
また、本発明の画像表示装置は、上記いずれかの画像検出装置を備えたことを特徴とする。
【００１８】
【発明の実施の形態】
以下、本発明の画像検出装置、画像検出方法および画像検出プログラムの好適な実施形態について図１ないし図６を参照して詳細に説明する。
本発明の画像検出方法を用いた画像検出装置を備えた画像表示装置の一例として、ＲＧＢの異なる色毎に液晶ライトバルブを備えた３板式の投射型表示装置を用いて説明する。
図１は、投射型表示装置の一例を示した概略構成図である。図１に示すように、投射型表示装置は、光源５１０、調光素子２６、ダイクロイックミラー５１３、５１４、反射ミラー５１５、５１６、５１７、リレーレンズ５１８、５１９、５２０、赤色光用液晶ライトバルブ５２２、緑色光用液晶ライトバルブ５２３、青色光用液晶ライトバルブ５２４、クロスダイクロイックプリズム５２５、投射レンズ系５２６を備えている。
調光素子２６は、例えば、透過率が可変とされた液晶パネルによって構成されるものである。
【００１９】
光源５１０は、超高圧水銀灯等のランプ５１１とランプ５１１の光を反射するリフレクタ５１２とから構成されている。この光源５１０とダイクロイックミラー５１３との間には、光源５１０からの光量を調節する調光素子２６が配置されている。
青色光・緑色光反射のダイクロイックミラー５１３は、光源５１０からの白色光のうちの赤色光を透過させるとともに、青色光と緑色光とを反射する。透過した赤色光は反射ミラー５１７で反射され、赤色光用液晶ライトバルブ５２２に入射される。
【００２０】
一方、ダイクロイックミラー５１３で反射された緑色光は、緑色光反射用のダイクロイックミラー５１４によって反射され、緑色光用液晶ライトバルブ５２３に入射される。
また、ダイクロイックミラー５１３で反射された青色光は、ダイクロイックミラー５１４も透過し、リレーレンズ５１８、反射ミラー５１５、リレーレンズ５１９、反射ミラー５１６、リレーレンズ５２０からなるリレー系５２１を経て、青色光用液晶ライトバルブ５２４に入射される。
【００２１】
各液晶ライトバルブ５２２、５２３、５２４により変調された３つの色光は、クロスダイクロイックプリズム５２５に入射する。このプリズムは、４つの直角プリズムが貼り合わされ、その内面に赤色光を反射する誘電体多層膜と青色光を反射する誘電体多層膜とが十字状に形成されたものである。これらの誘電体多層膜によって３つの色光が合成されて、カラー画像を表す光が形成される。合成された光は、投射光学系である投射レンズ系５２６によってスクリーン５２７上に投射され、画像が拡大されて表示される。
【００２２】
各液晶ライトバルブ５２２、５２３、５２４には、画像信号に基づいて、各色光に所定の画像処理を施す画像処理部（図１では図示を省略）が接続されている。また、画像処理部には、表示画像の画像信号のうち、黒表示部を検出する黒表示検出部（図１では図示を省略）が接続されている。画像処理部は、この黒表示検出部で検出された黒表示部を、照明光量に応じて補正することにより、黒表示部の明るさの変化を抑え、画像のちらつきを抑える画像処理を行うようになっている。そして、画像処理部で所定の画像処理が施された画像信号は、ライトバルブドライバを介して、各液晶ライトバルブ５２２、５２３、５２４に供給される。
本実施の形態の画像検出装置は、黒表示検出部において表示画像の画像信号の黒表示部を検出し、この検出した黒表示部に対して画像処理部で所定の画像処理を施し、画像表示を行うものである。なお、画像検出装置は、後述する黒表示検出部、または、黒表示検出部および画像処理部を備えたものであるとする。
【００２３】
ここで、本実施の形態の画像検出装置の画像検出方法について説明する。
図２は、画像検出装置の駆動回路の構成を示したブロック図である。図２に示すように、黒表示検出部２０は、画像処理部２１に接続されており、黒表示部を検出すると、黒表示検出信号として画像処理部２１に供給するようになっている。
まず、画像信号は、黒表示検出部２０、画像処理部２１および画像解析部２４に入力される。黒表示検出部２０は、入力された画像信号から黒表示部を検出し、黒表示部検出信号として画像処理部２１に供給する。
【００２４】
画像解析部２４では、画像信号の解析を行って伸長係数、オフセット値、調光制御信号を算出し、画像制御信号として画像処理部２１に供給する。
また、画像解析部２４は、調光制御信号に基づいて調光素子ドライバ２５を制御する。調光ドライバ２５は、調光素子２６を制御する。この調光素子ドライバ２５は、画像処理部２１によって各液晶ライトバルブ５２２、５２３、５２４に供給される画像信号の伸長有無に応じて、光源５１０からの照明光量を変化させる。これにより、表示画像の明るさ範囲を拡張しつつ、滑らかな階調表現を実現することができる。
【００２５】
黒表示検出部２０では、水平・垂直同期信号に基づいて、表示画像の画像信号の縦または横１ライン分の座標値を検知する。また、検知した縦または横１ライン分の画像信号の画像データを加算し、ラインごとに黒表示部であるか否かの判定を行う。そして、黒表示部であると判定した場合、黒表示部検出信号を発生する。
一方、画像処理部２１は、画像信号に対して、オフセット処理、黒補正、伸長処理を行う。そして、黒補正または伸長処理した画像信号のどちらが適した信号であるかを、黒表示部検出信号に基づいて判断する。
【００２６】
次に、第１の実施形態の黒表示検出部２０の黒表示検出について、図３を参照しながら説明する。
図３は、第１の実施形態の黒表示検出部２０の構成を示したブロック図である。この実施形態では、黒表示検出部２０は、カウンタ３０、演算部３１、判定部３２、メモリ３３および信号発生器３４を備えている。
カウンタ（座標検知手段）３０は、水平・垂直同期信号を足すことにより、画像信号がどこまで入力されたか、すなわち１フレーム内の画像信号の座標値を作る。なお、ここでは横１ライン分の座標値を作る場合について説明する。
演算部（画像データ加算手段）３１は、カウンタ３０から供給される座標値に基づいて、横１ライン分の画像データを加算し、演算値として判定部３２に供給する。
また、カウンタ３０および演算部３１は、入力された画像信号から表示領域を検出する表示領域検出手段としても機能する。
【００２７】
判定部（判定手段）３２は、演算部３１から供給された演算値を所定の黒表示部判定基準との大小関係を判定することにより、黒表示部であるか否かを判定する。ここで、黒表示部判定基準とは、黒表示部であるか否かの判定基準値をいい、例えば、画像データを１とみなして横１ライン分全て足した値を基準値とすれば、横１ライン上の画像データのほとんどが０であるような場合、黒表示部だと判定できる。
この判定部３２による判定結果、すなわち所定の横１ラインが黒表示部であるか否かの結果は、メモリ３３に格納される。
【００２８】
メモリ３３は、判定部３２からの判定結果を格納する。また、メモリ３３は、１つ前のフレームの黒表示部の大きさが格納されており、黒表示部の大きさが変わったときに１フレーム内の黒表示部の座標値を更新する。
信号発生器（黒表示部検出手段）３４は、カウンタ３０からの座標値と、判定部３２からの黒表示部であるか否かの判定結果に応じて、黒表示部検出信号を発生し、画像処理部２１に供給する。なお、黒表示部検出手段３４は、カウンタ３０によって検知された座標に基づいて、検出された黒表示部が画面上下、または、画面左右のどちらの位置にあるかを検出する画面位置検出手段としても機能する。
【００２９】
次に、第１の実施形態の画像処理部２１について図４を参照しながら説明する。第１の実施形態の画像処理部２１は、ラインメモリ４０、オフセット処理部４１、黒補正部４２、伸長処理部４３、判断部４４を備えている。
ラインメモリ４０は、検知された横１ラインの画像信号を格納する。なお、第１の実施形態では、黒表示検出部２０は、１ライン分ずつの画像データに関して黒表示部であるか否かの判定を行うので、ラインメモリ４０に１つ前の１ライン分の画像データが格納されていることになる。
【００３０】
オフセット処理部４１は、画像解析部２４から供給されたオフセット値に基づいて、画像信号に対するオフセット処理、すなわち画像信号から所定の引き算量（オフセット値）を減算する。ここで、オフセット値とは、例えば、画像データの中で最も暗い値をいい、オフセット処理として画像信号に対してオフセット値だけ減算することにより、画像信号の不要な黒浮きを抑えられる値をいう。
【００３１】
黒補正部（補正手段）４２は、オフセット処理後の画像信号に対して、黒補正を行う。画像信号をＶ、伸長倍率をｐ、光抜け量をΔｖとした場合、黒表示部の画像信号Ｖ´は
Ｖ´＝Ｖ＋（１−１／ｐ）Δｖ
というような式で補正することができる。
ここで、光抜け量Δｖとは、画像信号を０にしたときのスクリーン上の明るさをいう。より具体的には、図１の光源５１０からの光量を調光素子で遮断したのに、各液晶ライトバルブ５２２、５２３、５２４を全て暗表示とした状態でも、なおスクリーン上に漏れてくる光量のことをいう。
この光抜け量Δｖは、出荷前の検査時に測定したものをデフォルトで記憶しておくようにしてもよいし、画像検出装置の電源入力時や立ち上げ時に測定して、記憶するようにしてもよい。
【００３２】
このように補正することにより、例えば、面積の大きな黒表示部について、各液晶ライトバルブ５２２、５２３、５２４での表示が大きい場合、すなわち照明光量が最大の場合には（上記の式においてｐが１の場合）、黒表示部を暗い表示に補正する。また、照明光量が小さい場合には、黒表示部を明るい表示に補正する。これにより、照明光量の変化と、黒表示部の変化が打ち消し合うことになり、黒表示部がチラツかない映像表示を行うことができる。
【００３３】
伸長処理部４３は、オフセット処理後の画像信号に対して、画像解析部２４からの伸長係数に基づく伸長処理を行う。
判断部４４は、黒表示検出部２０からの黒表示部検出信号に基づいて、黒補正部４２または伸長処理部４３からの画像信号のどちらをライトバルブドライバ２２に供給するか判断する。
【００３４】
このように、第１の実施形態では、黒表示検出部２０によって表示画像の画像信号のうち、黒表示部を検出し、黒表示部検出信号として画像処理部２１に供給する。画像処理部２１では、黒表示部検出信号に基づいて、黒表示部以外の画像信号に対する照明光量に応じた黒表示部の補正を行うことができる。これにより、黒表示部の明るさ変化を抑え、画像のチラツキを防止することができる。また、アスペクト比の異なる画像信号が入力された場合にも、画像信号のアスペクト比に対して柔軟な対応が可能となり、黒表示部の検出を正確に行うことができる。
【００３５】
次に、第２の実施形態の黒表示検出部２０の黒表示検出について、図５を参照しながら説明する。なお、図３の第１の実施形態の黒表示検出部と同様の構成部分については同じ番号を付し、適宜説明を省略する。また、第２の実施形態では、画像信号にアスペクト比の情報が含まれているものとする。
図５の黒表示検出部２０は、図３の黒表示検出部２０のメモリ３３の替わりに、アスペクト比判断部３５が追加された構成となっている。
【００３６】
アスペクト比判断部（判断手段）３５は、４：３、１６：９などのアスペクト比（画面の縦横の比率）のパターンを、すなわち黒表示部である黒帯部分の１画面内での位置情報を格納しており、判断部３２において黒表示部であると判断された所定の座標が、格納されている黒表示位置情報の範囲内であるかどうかを判断する。黒表示であると判断された画像データの座標が、あるアスペクト比における黒表示部の範囲内であれば、黒表示部であると判定する。例えば、映画のタイトルロールを表示する場合、画面全体が暗い中にタイトルなどの文字が表示されるので、黒表示部と誤判定されやすくなる。そこで、アスペクト比判断部３５にあらかじめ格納されているいくつかのパターンと比較することにより、画像信号が小さいことによる誤判定を防止することができる。
【００３７】
次に、第２の実施形態の画像処理部２１について図６を参照しながら説明する。第２の実施形態の画像処理部２１は、ラインメモリ４０がない構成となっている点が第１の実施形態の画像処理部２１と異なる。なお、図４の第１の実施形態の画像処理部と同様の構成部分については同じ番号を付し、適宜説明を省略する。
第２の実施形態では、黒表示検出部２０がアスペクト比に基づいて、黒表示の判断を行うので、ラインメモリ４０がない構成となっている。
【００３８】
以上、本発明の一実施形態について説明してきたが、本発明は、上述の実施形態に限定されるものではない。
例えば、第１の実施形態では、横１ライン分の画像データについて判定するものとして説明したが、これに限られるものではない。カウンタ３０において、縦１ライン分の画像データについて検知するようにしてもよい。縦１ライン分に関しての黒表示部の判定を行う場合、判定部３２は、１フレーム分の演算値を格納してから判定するようになる。このように、縦１ラインに関しても黒表示判定するので、画面上下だけでなく、画面左右の黒帯部分も検出することができる。
なお、黒表示検出部２０が縦１ライン分に基づいて検出を行う場合、１フレームごとの判定となるので、画像処理部２１は、第２の実施形態のようにラインメモリ４０がない構成となる。
【００３９】
また、例えば、本実施の形態では、本発明の画像検出装置、画像検出方法および画像検出プログラムの利用が可能な画像表示装置として、投射型表示装置を用いて説明してきたが、これに限られるものではなく、例えば、直視型表示装置などでもよい。また、本発明の画像検出方法および画像検出プログラムは、ＬＣＤ、エレクトロルミネッセンス、プラズマディスプレイ、デジタルミラーデバイス、フィールドエミッションデバイスなどの画像信号の処理にも用いることができる。
【図面の簡単な説明】
【図１】投射型表示装置の一例を示した概略構成図。
【図２】画像検出装置の駆動回路の構成図。
【図３】第１の実施形態の黒表示検出部の構成図。
【図４】第１の実施形態の画像処理部の構成図。
【図５】第２の実施形態の黒表示検出部の構成図。
【図６】第２の実施形態の画像処理部の構成図。
【符号の説明】
２０  黒表示検出部、２１  画像処理部、２２  ライトバルブドライバ、２４  画像解析部、２５  調光素子ドライバ、２６  調光素子、３０  カウンタ、３１演算部、３２  判定部、３３  メモリ、３４  信号発生器、３５  アスペクト比判断器、４０  ラインメモリ、４１  オフセット処理部、４２  黒補正部、４３  伸長処理部、４４  判断部
【図１】
2004163809.tif 000003
【図２】
2004163809.tif 000004
【図３】
2004163809.tif 000005
【図４】
2004163809.tif 000006
【図５】
2004163809.tif 000007
【図６】
2004163809.tif 000008